(57)【要約】【課題】  本発明は、転写紙の分離がされやすく、かつトナーの定着品質を損なうことがない定着装置と、該定着装置を有する画像形成装置の提供を目的とする。【解決手段】  少なくとも２つ以上の張架部材によって張架される定着ベルト４３と、前記張架部材であって前記定着ベルトの加熱を行う加熱手段を有する加熱ローラ４０と、前記張架部材である定着ローラ４２と、前記定着ベルト４３を介して、２つの前記張架部材と圧接する加圧ローラ４１と、前記定着ベルト４３と前記加圧ローラ４１とのニップ部の出口近傍に設けられた、前記定着ベルト４３に振動を与える振動付与手段４４と、２つの前記張架部材と前記加圧ローラ４１とのニップ部の間に、前記定着ベルト４３を前記加圧ローラ４１に圧接するための圧接部材４５と、を有することを特徴としている。【選択図】図２
2006106151.tif 000002
【特許請求の範囲】
【請求項１】
少なくとも２つ以上の張架部材によって張架される定着ベルトと、
該定着ベルトを加熱する加熱手段と、
前記定着ベルトを介して、前記張架部材のうちの２つと圧接する加圧ローラと、
前記定着ベルトと前記加圧ローラとのニップ部の出口下流に設けられた、前記定着ベルトに振動を与える振動付与手段と、
を有することを特徴とする定着装置。
【請求項２】
前記定着ベルトを前記加圧ローラに圧接するための圧接部材を有することを特徴とする請求項１記載の定着装置。
【請求項３】
前記張架部材は、定着ローラ及び前記加熱手段を有する加熱ローラであることを特徴とする請求項１又は２記載の定着装置。
【請求項４】
前記張架部材は、前記加熱ローラと２つの定着ローラであり、前記加圧ローラは、前記２つの定着ローラと圧接することを特徴とする請求項１又は２記載の定着装置。
【請求項５】
前記張架部材は、前記加熱ローラと、定着ローラ及び、前記定着ベルトと摺動接触する押圧部材であり、前記加圧ローラは、前記定着ローラと前記押圧部材と圧接することを特徴とする請求項１又は２記載の定着装置。
【請求項６】
前記振動付与手段は、棒状の部材であることを特徴とする請求項１から５のいずれかに記載の定着装置。
【請求項７】
前記振動付与手段は永久磁石であることを特徴とする請求項１から５のいずれかに記載の定着装置。
【請求項８】
前記振動付与手段は、超音波を発生する発振手段であることを特徴とする請求項１から５のいずれかに記載の定着装置。
【請求項９】
像担持体と、
該像担持体の表面に静電潜像を形成する画像書き込み装置と、
該画像書き込み装置によって形成された静電潜像を、トナー像として現像する現像装置と、
現像されたトナー像を転写紙に転写する転写装置と、
前記転写紙に転写されたトナー像を、前記転写紙に定着する定着装置と、を有する画像形成装置であって、
前記定着装置は、請求項１から７のいずれかに記載の定着装置であることを特徴とする画像形成装置。
【発明の詳細な説明】
【技術分野】
【０００１】
本発明は転写紙の分離がしやすく定着品質を損なうことのない定着装置及び、該定着装置を有する画像形成装置に関する。
【背景技術】
【０００２】
複合機等の画像形成装置は、像担持体の表面に原稿画像の画像情報に基づいた静電潜像を形成し、この静電潜像を現像手段によってトナー像として現像し、現像されたトナー像を転写紙に転写して、定着装置によってトナーを加熱し転写紙にトナー像を定着させる構成となっている。
【０００３】
定着装置には、内部にハロゲンヒータ等を内蔵した加熱ローラと、加熱ローラに圧接する加圧ローラとによりトナーを定着させるものと、加熱ローラと定着ローラという２つの張架部材の間に無端ベルトである定着ベルトを張架して該ベルトに加圧ローラが当接しているものとがある。定着ベルトを使用する定着装置は、定着ベルトの熱容量が小さいため、ウォームアップ時間が短くできるほか、加圧ローラとのニップ幅を広くすることができる等の理由から、カラー画像形成装置に使用されることが多い。
【０００４】
上記のような定着装置においては、ホットオフセットと呼ばれる現象が発生することがある。トナーが加熱されすぎてしまい、転写紙が定着ベルトから分離するときにトナーが定着ベルトに残留して、後続の転写紙に汚れとして転写されることがある。ひどい場合は転写紙が定着ベルトから分離せずに紙詰まりになってしまう。
【０００５】
このような現象を防止するために、定着ベルトと加圧ローラのニップ部の出口下流に、定着ベルトを振動させるための振動付与手段を設けたものがある（例えば、特許文献１参照）。これによって、ホットオフセットが防止できる。
【特許文献１】特開２００２−２６８４２２（段落００３３，図１）
【発明の開示】
【発明が解決しようとする課題】
【０００６】
しかし、特許文献１のニップ部は加熱ローラと加圧ローラが圧接している部分だけである。このような構成の場合、ニップ部の出口下流で定着ベルトに振動を与えると、定着ベルトのニップ部分も振動し、定着ベルトの浮きが発生する。トナーの定着が充分ではない状態で定着ベルトが浮くと、定着品質の安定性が損なわれる。場合によっては、定着ベルトが振動することで、転写紙上のトナー像のズレ等の品質不良が発生する。
【０００７】
そこで、本発明は、転写紙の分離がされやすく、かつトナーの定着品質を損なうことがない定着装置と、該定着装置を有する画像形成装置の提供を目的としている。
【課題を解決するための手段】
【０００８】
上記目的を達成するために請求項１記載の定着装置は、少なくとも２つ以上の張架部材によって張架される定着ベルトと、該定着ベルトを加熱する加熱手段と、前記張架部材であって前記定着ベルトの加熱を行う加熱手段を有する加熱ローラと、前記張架部材である定着ローラと、前記定着ベルトを介して、２つの前記張架部材と圧接する加圧ローラと、前記定着ベルトと前記加圧ローラとのニップ部の出口下流に設けられた、前記定着ベルトに振動を与える振動付与手段と、を有することを特徴としている。
【０００９】
請求項２記載の定着装置は、前記定着ベルトを前記加圧ローラに圧接するための圧接部材を有することを特徴としている。
【００１０】
請求項３記載の定着装置は、前記張架部材は、定着ローラ及び前記加熱手段を有する加熱ローラであることを特徴としている。
【００１１】
請求項４記載の定着装置は、前記張架部材は、前記加熱ローラと２つの定着ローラであり、前記加圧ローラは、前記２つの定着ローラと圧接することを特徴としている。
【００１２】
請求項５記載の定着装置は、前記張架部材は、前記加熱ローラと、定着ローラ及び、前記定着ベルトと摺動接触する押圧部材であり、前記加圧ローラは、前記定着ローラと前記押圧部材と圧接することを特徴としている。
【００１３】
請求項６記載の定着装置は、前記振動付与手段は、棒状の部材であることを特徴としており、請求項７記載の定着装置は、前記振動付与手段は永久磁石であることを特徴としている。
【００１４】
請求項８記載の定着装置は、前記振動付与手段は、超音波を発生する発振手段であることを特徴としている。
【００１５】
上記目的を達成するために、請求項９記載の画像形成装置は、像担持体と、該像担持体の表面に静電潜像を形成する画像書き込み装置と、該画像書き込み装置によって形成された静電潜像を、トナー像として現像する現像装置と、現像されたトナー像を転写紙に転写する転写装置と、前記転写紙に転写されたトナー像を、前記転写紙に定着する定着装置と、を有する画像形成装置であって、前記定着装置は、請求項１から７のいずれかに記載の定着装置であることを特徴としている。
【発明の効果】
【００１６】
請求項１に記載の定着装置は、少なくとも２つ以上の張架部材の間に張架された定着ベルトと、定着ベルトを加熱する加熱手段と、定着ベルトを介して張架部材に圧接する加圧ローラと、振動付与手段を有している。振動付与手段は、定着ベルトと加圧ローラが圧接しているニップ部の出口、すなわち搬送経路の下流側に設けられており、定着ベルトに振動を与える。これによって、振動付与手段により定着ベルトに振動を与えた時に、定着ベルトの浮きを防止することができる。
【００１７】
請求項２記載の定着装置は圧接部材を有しており、圧接部材は定着ベルトと加圧ローラが当接している領域にて、定着ベルトを加圧ローラへ圧接している。これによって、定着ベルトの浮きの防止がより効果的に行える。
【００１８】
請求項３記載の定着装置は、張架部材として、加熱ローラと定着ローラを用いる。加熱ローラは内部に定着ベルトの加熱を行うための加熱手段を有しており、加圧ローラは加熱ローラと定着ローラに圧接する。本発明はこのような構成の定着装置においても、定着ベルトの浮きを防止することができる。
【００１９】
請求項４記載の定着装置は、前記張架部材は、前記加熱ローラと２つの定着ローラであり、前記加圧ローラは、前記２つの定着ローラと圧接している構成となっている。これによりホットオフセットを防止できる。
【００２０】
請求項５記載の定着装置は、前記張架部材は、前記加熱ローラと、定着ローラ及び、前記定着ベルトと摺動接触する押圧部材であり、前記加圧ローラは、前記定着ローラと前記押圧部材と圧接する構成となっている。これによってトナー像の転写紙への定着品質を損なうことがない。
【００２１】
請求項６記載の定着装置は、前記振動付与手段は、棒状の部材である。このため安価にホットオフセットの防止が可能となる。
【００２２】
請求項７記載の定着装置は、前記振動付与手段は永久磁石であることで、定着ベルトの磨耗を防止できる。
【００２３】
請求項８記載の定着装置は、前記振動付与手段は、超音波を発生する発振手段である。これにより、定着ベルトを振動させ、ホットオフセットが防止できる。
【００２４】
請求項９に記載の画像形成装置は、像担持体・画像書き込み装置・現像装置・転写装置・定着装置を有している。画像書き込み装置は像担持体の表面に静電潜像を形成するものであり、現像装置は形成された静電潜像をトナー像として現像するものである。また転写装置は、像担持体に形成されたトナー像を転写紙に転写するものであり、定着装置は転写紙に転写されたトナー像を加熱して、転写紙に定着させるものである。このとき、定着装置には、請求項１に記載された定着装置を使用する。こうすることで、転写紙が分離されやすくなり、ホットオフセットを防止できる。また、定着ベルトの浮きを防止できるため画像のズレといった品質不良を防止することができる。
【発明を実施するための最良の形態】
【００２５】
次に本発明を、図面を基に説明する。
図１は、本発明の実施の形態に係るカラー画像形成装置の構成を示す図である。図１に示すカラー画像形成装置は、タンデム型カラー画像形成装置であり、原稿自動搬送手段３０、画像読取装置６０、画像書き込み装置３Ｙ，３Ｍ，３Ｃ，３Ｋ、像担持体１Ｙ，１Ｍ，１Ｃ，１Ｋ、帯電装置２Ｙ，２Ｍ，２Ｃ，２Ｋ、現像装置４Ｙ，４Ｍ，４Ｃ，４Ｋ、定着装置２４、ベルト状の中間転写体６、給紙手段２１Ａ，２１Ｂ，２１Ｃ及び、搬送系２２等を有するものである。
【００２６】
原稿自動搬送手段３０は両面又は片面の原稿ｄを自動搬送する手段である。画像読取装置６０は、移動式光学系により画像情報が読み取られる装置で、原稿載置台上から給送される多数枚の原稿ｄの内容を、３枚の可動ミラー６０Ｃで反射し、集光レンズ６０ＢによりＣＣＤからなる撮像素子６０Ａに結像して読み取る。
【００２７】
イエロー色の画像を形成する画像形成部１０Ｙは、像形成体として像担持体１Ｙの周囲に配置された帯電装置２Ｙ、画像書き込み装置３Ｙ、現像装置４Ｙ及びクリーニング装置８Ｙを有する。マゼンタ色の画像を形成する画像形成部１０Ｍは、像形成体としての像担持体１Ｍ、帯電装置２Ｍ、画像書き込み装置３Ｍ、現像装置４Ｍ及びクリーニング装置８Ｍを有する。シアン色の画像を形成する画像形成部１０Ｃは、像形成体としての像担持体１Ｃ、帯電装置２Ｃ、画像書き込み装置３Ｃ、現像装置４Ｃ及びクリーニング装置８Ｃを有し、黒色画像を形成する画像形成部１０Ｋは、像形成体としての像担持体１Ｋ、帯電装置２Ｋ、画像書き込み装置３Ｋ、現像装置４Ｋ及びクリーニング装置８Ｋを有する。
【００２８】
帯電装置２Ｙと画像書き込み装置３Ｙ、帯電装置２Ｍと画像書き込み装置３Ｍ、帯電装置２Ｃと画像書き込み装置３Ｃ及び帯電装置２Ｋと画像書き込み装置３Ｋとは、静電潜像形成手段を構成する。
【００２９】
中間転写体６は、無端状のベルトであり、複数のローラにより張架され、回動可能に指示されている。
【００３０】
撮像素子６０Ａ上に結像した画像情報の信号は、図示しない画像処理部に送られる。画像処理部はアナログ処理、Ａ／Ｄ変換、シェーディング補正、画像圧縮処理等を行った後、画像書き込み装置３Ｙ，３Ｍ，３Ｃ，３Ｋに各色ごとの信号を送る。
【００３１】
画像書き込み装置３Ｙ，３Ｍ，３Ｃ，３Ｋでは、レーザ光線としての半導体レーザを用い、半導体レーザが出射した光ビームは、ポリゴンミラーなどの光学要素によって走査光ビームに形成されて被走査体としての像担持体１Ｙ，１Ｍ，１Ｃ，１Ｋに入射し、各色の静電潜像を形成する。
【００３２】
像担持体１Ｙ，１Ｍ，１Ｃ，１Ｋに形成された各色ごとの静電潜像は、現像装置４Ｙ，４Ｍ，４Ｃ，４Ｋによって、それぞれイエロー、マゼンタ、シアン、黒のトナー像として現像される。
【００３３】
上記のようにして形成された各色の画像は、回動する中間転写体６上に１次転写装置としての転写装置７Ｙ，７Ｍ，７Ｃ，７Ｋによって逐次１次転写されて、合成されたカラー画像が形成される。給紙カセット２０Ａ，２０Ｂ，２０Ｃ内に収容された転写紙ＰＥは、給紙手段２１Ａ，２１Ｂ，２１Ｃにより給紙され、搬送系２２を経て、レジストローラ２３でタイミングを合わせて２次転写装置としての転写装置７Ａに搬送され、転写紙ＰＥ上にカラー画像が２次転写される。カラー画像が転写された転写紙ＰＥは、定着装置２４により定着処理され、排紙ローラ２５に挟持されて機外の排紙トレイ２６上に載置される。
【００３４】
一方、転写装置７Ａによって転写紙ＰＥにカラー画像を転写した後、転写紙ＰＥを分離した中間転写体６は、クリーニング装置８Ａによりクリーニングされる。また、中間転写体６に各色のトナー像を転写した像担持体１Ｙ，１Ｍ，１Ｃ，１Ｋも、クリーニング装置８Ｙ，８Ｍ，８Ｃ，８Ｋによって表面に残留しているトナーが除去される。
【００３５】
５Ｙ，５Ｍ，５Ｃ，５Ｋは、現像装置４Ｙ，４Ｍ，４Ｃ，４Ｋにそれぞれ新規のトナーを補給するトナー補給手段である。
【００３６】
定着装置２４は、加熱ローラ４０と加圧ローラ４１及び定着ローラ４２を有している。このうち、加熱ローラ４０と定着ローラ４２が定着ベルト４３を張架する張架部材である。加熱ローラ４０は、内部にハロゲンヒータ等の加熱手段４０ａを有している。定着ベルト４３は、ポリイミド樹脂等の耐熱性樹脂で形成され、その表層にシリコーンゴム及びフッ素樹脂等を被覆した薄肉の無端ベルトである。加圧ローラ４１は定着ベルト４３を介して加熱ローラ４０と定着ローラ４２に圧接している。
【００３７】
図２は定着装置の概略の構成を示す側面図である。加熱ローラ４０と加圧ローラ４１とのニップ点Ｎ１から定着ローラ４２と加圧ローラ４１とのニップ点Ｎ２にかけて、定着ベルト４３と加圧ローラ４１とが接するニップ部となっている。ニップ点Ｎ１を通過した転写紙ＰＥは、ニップ点Ｎ２を通過するまで加熱され、その間に転写紙ＰＥ上のトナーＴが溶融し転写紙ＰＥに定着する。
【００３８】
ニップ部の出口、すなわち搬送経路の下流側のニップであるニップ点Ｎ２の近傍には定着ベルト４３を振動させるための振動付与手段４４が設けられている。振動付与手段４４は、棒状の部材でモータとカム又はクランクの組み合わせによって図の矢印方向に振動する。モータとカム又はクランクの構成以外に、ソレノイドによって矢印方向に振動させるような構成も可能である。振動付与手段４４は図では側面の形状が長方形になっているが、円形であってもよい。振動付与手段４４はニップ点Ｎ２の後方、すなわち定着ローラ４２が定着ベルト４３を張架している位置にあるため、定着ベルトを叩く時に定着ローラ４２も振動させる。従って、振動付与手段４４が定着ベルト４３に与える振動は、定着ローラ４２の駆動に支障が出ない程度の強さとなっている。
【００３９】
振動付与手段４４は上記のように定着ベルト４３を叩くような構成以外にも、定着ベルト４３の表面に磁性体を塗布しておき、振動付与手段４４としての永久磁石をモータとカム等又はソレノイドで振動させることにより、定着ベルト４３を振動させる構成もある。また、定着ベルトの基材をＮｉやＳＵＳにすることにより同様に定着ベルトを振動させることも可能である。振動付与手段４４に永久磁石を使用すると、定着ベルト４３に振動付与手段４４が接触することが無いので、定着ベルト４３の磨耗を防止できる。また、振動付与手段４４として超音波を間欠的に発生させるスピーカー等の発振手段を配置し、超音波によって定着ベルト４３を振動させるような方法もある。
【００４０】
振動付与手段４４は画像形成処理の開始と同時に図示しない制御手段によって駆動を開始され、画像形成処理の終了と同時に停止する。又は、転写紙ＰＥが定着装置２４を通過するときにだけ振動付与手段４４が駆動するように制御することも可能である。
【００４１】
このように、振動付与手段４４によって定着ベルト４３を振動させることで、転写紙ＰＥが定着ベルト４３から分離しやすくなり、またホットオフセットの発生を防止することができる。
【００４２】
ニップ点Ｎ１からニップ点Ｎ２の間のニップ部には、圧接部材４５が設けられている。圧接部材４５はバネ４５ａ等の付勢手段によって定着ベルト４３を加圧ローラ４１へ圧接している。圧接部材４５を設けることで、振動による定着ベルト４３の浮きを防止できるようになる。
【００４３】
圧接部材４５の構成としては、金属の支持部材上にシリコーンゴム層を設け、その上にガラス繊維入りのフッ素樹脂等の摺動性と耐久性を両立させたシートを表層部材として設けたもの等がある。そしてこの表層部材を定着ベルト４３に圧接して使用する。
【００４４】
図３は本発明に係る定着装置の第２実施例の概略を示す側面図である。図２と同じ構成には同一の符号を付け、相違点を中心に説明する。
【００４５】
加圧ローラ４６は、定着ベルト４３を介して加熱ローラ４０と定着ローラ４２に圧接しており、内部にハロゲンヒータ等の加熱手段４６ａを有している。図３の場合も、振動付与手段４４は定着処理の出口であるニップ点Ｎ２の後方、すなわち定着ローラ４２が定着ベルト４３を張架している位置に配置されており、圧接部材４５がバネ４５ａ等によって定着ベルト４３を加圧ローラ４６へ圧接している。振動付与手段４４は、第１実施例と同様に棒状の部材を図示しないモータとカム等の組み合わせによって振動させたり、永久磁石又は超音波を発生するスピーカー等でもよい。
【００４６】
図４は、本発明に係る定着装置の第３実施例の概略を示す側面図である。図２及び図３と同じ構成には同一の符号をつけ、相違点を中心に説明する。
【００４７】
図４の定着装置２４は、加熱手段４０ａを有する加熱ローラ４０、２本の定着ローラ４２，４７及び、１本の加圧ローラ４６によって構成されている。定着ベルト４３は、加熱ローラ４０と定着ローラ４２，４７という３つのローラに張架されている。つまり、加熱ローラ４０、定着ローラ４２，４７が定着ベルト４３を張架する張架部材である。加圧ローラ４６は２本の定着ローラ４２，４７と圧接しており、定着ローラ４２とのニップ点がＮ１となっており、定着ローラ４７とのニップ点がＮ２となっている。そして、ニップ点Ｎ１からニップ点Ｎ２の間の全体で定着ベルト４３と加圧ローラ４６とが圧接し、ニップ部となっている。
【００４８】
振動付与手段４４は定着ローラ４７のニップ点Ｎ２の後方、すなわち定着ローラ４７が定着ベルト４３を張架している位置に設けられており、図示しないモータとカム又はクランク等の駆動手段によって図の矢印方向に振動する。また、定着ローラ４２，４７及び加圧ローラ４６とのニップ点Ｎ１，Ｎ２の間にバネ４５ａによって圧接部材４５が付勢されている。振動付与手段４４は、第１実施例と同様に、永久磁石や超音波を発生するスピーカーであってもよい。
【００４９】
第２実施例及び第３実施例の場合も第１実施例と同様に、加圧ローラ４６と加熱ローラ４０及び定着ローラ４２，４７とのニップ点Ｎ１，Ｎ２の間のニップ部に圧接部材４５を設け、圧接部材４５によって定着ベルト４３を加圧ローラ４６に圧接することで、振動付与手段４４により定着ベルト４３を振動による定着ベルト４３の浮きを防止できる。
【００５０】
図５は、本発明に係る定着装置の第４実施例の概略を示す側面図である。図４に示した第３実施例との違いは、定着ローラ４７の代わりに押圧部材４８を設けたことである。押圧部材４８は、圧接部材４５と同様に金属の支持部材上にシリコーンゴム層を設け、その上にガラス繊維入りのフッ素樹脂等の摺動性と耐久性を両立させたシートを表層部材として設けたものであり、定着ベルト４３と摺動接触するようになっている張架部材である。形状は側面が小判型となっており、小判型の上下にある円弧のうちの一方が加圧ローラ４６と圧接し、ニップ点Ｎ２を形成する。振動付与手段４４は、ニップ点Ｎ２の出口後方で、矢印で示した振動方向が、小判型になっている押圧部材４８の直線部分に対して略直角になるように配置されている。
【００５１】
第１実施例は、加熱手段４０ａが定着ローラ４０内に配置されていたが、本発明はそのような実施例に限定するものではない。
図６は本発明に係る定着装置の第５実施例の概略を示す側面図である。第１実施例との違いは、加熱ローラ４０の代わりに定着ローラ４９を配置したことと、ハロゲンヒータ等の加熱手段５０が定着ベルト４３の外側に配置され、直接定着ベルト４３を加熱する構成となったことである。定着ローラ４２，４９は定着ベルト４３を張架する張架部材であり、定着ローラ４９と加圧ローラ４１との圧接部分がニップ点Ｎ１となっている。加圧ローラ４１の代わりに第２実施例の加圧ローラ４６の使用も可能である。
【００５２】
加熱手段５０は第５実施例では定着ベルト４３の外側に配置されているが、定着ベルト４３の内側に配置されていてもよい。また、第３実施例及び第４実施例のように、３つの張架部材によって定着ベルト４３を張架するような定着装置２４の場合に、加熱手段５０を定着ベルト４３を直接加熱する位置に設けることも可能である。
【００５３】
定着装置２４の他の構成として、第１実施例及び第２実施例で加熱ローラ４０と定着ローラ４２の位置が反対になっているものがある。
【００５４】
なお、図１の実施例ではカラー画像形成装置を用いて説明をしたが、本発明はこれに限定するものではない。定着ベルト４３を使用する定着装置２４は、主にカラー画像形成装置で使用されているが、モノクロの画像形成装置にも適用可能である。
【図面の簡単な説明】
【００５５】
【図１】本発明の実施の形態に係るカラー画像形成装置の構成を示す図である。
【図２】定着装置の概略を示す側面図である。
【図３】本発明に係る定着装置の第２実施例の概略を示す側面図である。
【図４】本発明に係る定着装置の第３実施例の概略を示す側面図である。
【図５】本発明に係る定着装置の第４実施例の概略を示す側面図である。
【図６】本発明に係る定着装置の第５実施例の概略を示す側面図である。
【符号の説明】
【００５６】
１Ｙ，１Ｍ，１Ｃ，１Ｋ            像担持体
３Ｙ，３Ｍ，３Ｃ，３Ｋ            画像書き込み装置
４Ｙ，４Ｍ，４Ｃ，４Ｋ            現像装置
７Ｙ，７Ｍ，７Ｃ，７Ｋ，７Ａ      転写装置
４０                              加熱ローラ
４０ａ，５０                      加熱手段
４１，４６                        加圧ローラ
４２，４７                        定着ローラ
４３                              定着ベルト
４４                              振動付与手段
４５                              圧接部材
ＰＥ                              転写紙
【図１】
2006106151.tif 000003
【図２】
2006106151.tif 000004
【図３】
2006106151.tif 000005
【図４】
2006106151.tif 000006
【図５】
2006106151.tif 000007
【図６】
2006106151.tif 000008